(57)【要約】【課題】軟粘土質材によって形成されて、矢などが突き刺さることで孔などができて変形した的盤の正面を、平面的に均して容易に再生できる射的競技の的盤を提供する。【解決手段】平盤状に形成されて的模様の描かれた的シート３０が平面的に貼られるように設けられる射的競技の的盤において、被射的面である正面の的中心となる部位を中心に凹部１１が形成されることで正面の周囲が枠状部１２に形成される基盤部１０と、凹部１１を層状に埋めるように充填されて配された軟粘土質材２０とを備え、軟粘土質材２０は、軟質状態で自由に変形及び分離・合体ができ、且つその性質を維持できる物体であって、基盤部１０の少なくとも枠状部１２を形成する部位が、柔軟で押圧されて縮んでもその押圧が解除されると元の形状に復帰できる弾性を備える弾性材によって形成されている。【選択図】図１
2019039638.tif 000002
【特許請求の範囲】
【請求項１】
的模様の描かれた的シートが平面的に貼られるように平盤状に形成される射的競技の的盤において、
被射的面である正面の的中心となる部位を中心に凹部が形成されることで前記正面の周囲が枠状部に形成される基盤部と、
前記凹部を層状に埋めるように充填されて配されている軟粘土質材とを備え、
前記軟粘土質材は、軟質状態で自由に変形及び分離・合体ができ、且つその性質を維持できる物体であって、
前記基盤部の少なくとも前記枠状部を形成する部位が、柔軟で押圧されて縮んでもその押圧が解除されると元の形状に復帰できる弾性を備える弾性材によって形成されていることを特徴とする射的競技の的盤。
【請求項２】
的模様の描かれた的シートが平面的に貼られるように平盤状に形成される射的競技の的盤において、
被射的面である正面の的中心となる部位を中心に凹部が形成されることで前記正面の周囲が枠状部に形成される基盤部と、
前記凹部を層状に埋めるように充填されて配されている軟粘土質材とを備え、
前記軟粘土質材は、軟質状態で自由に変形及び分離・合体ができ、且つその性質を維持できる物体であると共に、前記枠状部の面よりも正面側へはみ出て盛り上がるように、前記凹部の内容積よりも多い量が配されていることを特徴とする射的競技の的盤。
【請求項３】
前記基盤部の少なくとも前記枠状部を形成する部位が、柔軟で押圧されて縮んでもその押圧が解除されると元の形状に復帰できる弾性を備える弾性材によって形成されていることを特徴とする請求項２記載の射的競技の的盤。
【請求項４】
前記軟粘土質材が油粘土であることを特徴とする請求項１〜３のいずれかに記載の射的競技の的盤。
【請求項５】
前記基盤部が、正面側の前記枠状部と、背面側の平板状の平板ベース部との二層が積層された形態に設けられていることを特徴とする請求項１〜４のいずれかに記載の射的競技の的盤。
【発明の詳細な説明】
【技術分野】
【０００１】
この発明は、吹き矢、和弓や洋弓（アーチェリー）の弓矢、ダーツの矢、射撃の弾などの標的の本体となる的（まと）盤であって、的模様の描かれた的紙（的シート）が平面的に貼られるように平盤状に形成される射的競技の的盤に関する。
【０００２】
従来、射的競技の的としては、容器の内面に粘土体を嵌入し、粘土体の上面に、線状の突起を有する印判体を設置してなる遊戯銃の標的（特許文献１参照）が提案されている。
【０００３】
しかしながら、この従来の遊戯銃の標的は、粘土体を使用することで、的模様の溝を型押しし、弾の散乱を防止して回収し易くすることを目的とするもので、的シートが平面的に貼られて使用されることを前提とするものではなく、粘土体による的盤面を平面的に均して再生するものもではない。
【先行技術文献】
【特許文献】
【０００４】
【特許文献１】実開昭６３−１８４３９７号公報（実用新案登録請求の範囲、図面）
【発明の概要】
【発明が解決しようとする課題】
【０００５】
射的競技の的盤に関して解決しようとする問題点は、標的の本体である的盤の正面に、的シートを取り替えて平面的に貼ることで標的として繰り返し利用できるように、矢などが突き刺さることで孔などができて変形した的盤の正面を、容易に再生できる構造のものが提案されていなかったことにある。
【０００６】
そこで本発明の目的は、軟粘土質材によって形成されて、矢などが突き刺さることで孔などができて変形した的盤の正面を、平面的に均して容易に再生させることができる射的競技の的盤を提供することにある。
【課題を解決するための手段】
【０００７】
本発明は、上記目的を達成するために次の構成を備える。
本発明に係る射的競技の的盤の一形態によれば、的模様の描かれた的シートが平面的に貼られるように平盤状に形成される射的競技の的盤において、被射的面である正面の的中心となる部位を中心に凹部が形成されることで前記正面の周囲が枠状部に形成される基盤部と、前記凹部を層状に埋めるように充填されて配されている軟粘土質材とを備え、前記軟粘土質材は、軟質状態で自由に変形及び分離・合体ができ、且つその性質を維持できる物体であって、前記基盤部の少なくとも前記枠状部を形成する部位が、柔軟で押圧されて縮んでもその押圧が解除されると元の形状に復帰できる弾性を備える弾性材によって形成されていることを特徴とする。
【０００８】
本発明に係る射的競技の的盤の他の一形態によれば、的模様の描かれた的シートが平面的に貼られるように平盤状に形成される射的競技の的盤において、被射的面である正面の的中心となる部位を中心に凹部が形成されることで前記正面の周囲が枠状部に形成される基盤部と、前記凹部を層状に埋めるように充填されて配されている軟粘土質材とを備え、前記軟粘土質材は、軟質状態で自由に変形及び分離・合体ができ、且つその性質を維持できる物体であると共に、前記枠状部の面よりも正面側へはみ出て盛り上がるように、前記凹部の内容積よりも多い量が配されていることを特徴とする。
【０００９】
本発明に係る射的競技の的盤の一形態によれば、上記の構成に加えて、前記基盤部の少なくとも前記枠状部を形成する部位が、柔軟で押圧されて縮んでもその押圧が解除されると元の形状に復帰できる弾性を備える弾性材によって形成されていることを特徴とすることができる。
【００１０】
本発明に係る射的競技の的盤の一形態によれば、前記軟粘土質材が油粘土であることを特徴とすることができる。
【００１１】
本発明に係る射的競技の的盤の一形態によれば、前記基盤部が、正面側の前記枠状部と、背面側の平板状の平板ベース部との二層が積層された形態に設けられていることを特徴とすることができる。
【発明の効果】
【００１２】
本発明の射的競技の的盤によれば、軟粘土質材によって形成されて、矢などが突き刺さることで孔などができて変形した的盤の正面を、平面的に均して容易に再生できるという特別有利な効果を奏する。
【図面の簡単な説明】
【００１３】
【図１】本発明に係る射的競技の的盤（吹き矢の的の本体部）及び的シートの形態例を示す斜視図である。
【図２】図１の形態例の射的競技の的盤（吹き矢の的の本体部）の（ａ）正面図及び（ｂ）断面図である。
【図３】図１の形態例の射的競技の的盤（吹き矢の的の本体部）と、均し棒の形態例を示す斜視図である。
【発明を実施するための形態】
【００１４】
以下、本発明に係る射的競技の的盤の形態例を、添付図面（図１〜３）に基づいて詳細に説明する。本形態例は、的模様の描かれた的紙（的シート３０）が平面的に貼られるように平盤状に形成される射的競技の的盤であり、吹き矢の的の本体部として用いられるものである。
【００１５】
１０は基盤部であり、被射的面である正面の的中心となる部位を中心に凹部１１が形成されることで、正面の周囲が枠状部１２に形成されている。本形態例の基盤部１０の正面側に形成された凹部１１は、図２（ｂ）に示すように、均一な深さ（均一な層状の厚さ）に窪んだ形状になっており、粘土状の物体を受けて充填されるスペースを構成する部位になっている。また、本形態例では、基盤部１０及び凹部１１の平面形状が、正方形の矩形盤状に形成されて矩形の標的を構成するように設けられているが、これに限定されることはなく、円形など他の標的形状に設けることができるのは勿論である。
【００１６】
また、本形態例では、図１に示すように、基盤部１０及び凹部１１の平面形状が、正方形の相似形状になっており、枠状部１２は、正面形態が所要幅の平面状の辺で四辺を囲んだ形状の矩形枠状に形成されている。これに対して、本形態例の射的競技の的盤に貼られる的シート３０は、凹部１１の外形よりも一回り大きな正方形のシート状に設けられており、四隅で粘着テープによって枠状部１２の矩形枠状の平面に貼り付けられて使用できるように設定されている。
【００１７】
２０は軟粘土質材であり、凹部１１を層状に埋めるように充填されて配されている。
この軟粘土質材２０は、軟質状態で自由に変形及び分離・合体ができ、且つその性質を維持できる物体である。この軟粘土質材２０としては、油粘土を用いることができる。油粘土は、入手し易く、耐久性があり、本発明に係る射的競技の的盤の軟粘土質材２０として適している。なお、軟粘土質材２０としては油粘土に限定されるものではなく、同等の性質を有する物体であれば、他の素材を用いることができるのは勿論であり、例えば、練りゴムを用いることもできる。
【００１８】
そして、本発明に係る射的競技の的盤によれば、基盤部１０の少なくとも枠状部１２を形成する部位が、柔軟で押圧されて縮んでもその押圧が解除されると元の形状に復帰できる弾性を備える弾性材によって形成されている。この弾性材としては、発泡樹脂材によって形成された板状部材を用いることができ、発泡樹脂材としては、例えば、発泡スチロールを利用できる。
【００１９】
これによれば、図３に示すように、軟粘土質材２０によって形成され、矢などが突き刺さることで孔などができて変形された的盤の正面（軟粘土質材２０の正面）を、図３に示すような円柱棒状に設けられた丸棒均し具５０を使って、平面的に均して容易に再生できる。軟粘土質材２０は、自由に変形及び分離・合体ができる性質があるため、丸棒均し具５０の転動によって極めて適切に平面状に均される。
【００２０】
すなわち、丸棒均し具５０は、軟粘土質材２０充填された凹部１１の正方形の一辺よりも長く形成されており、枠状部１２の矩形枠状を形成する四辺のうち対向する二辺に架け渡された状態で押圧しながら転がすと、その丸棒均し具５０によって、枠状部１２は弾性材によって形成されているため押し込まれことになる。このように転動される丸棒均し具５０によれば、枠状部１２の二辺で受けられているため、的盤の正面平面に対して平行性を保って傾かない状態で転動でき、軟粘土質材２０の正面平面に適切に接触できることから、その軟粘土質材２０の正面平面を適切に均して容易に再生できる。なお、枠状部１２を形成する凹部１１が、例えば円形の場合は、その円形の直径よりも丸棒均し具５０を長く設け、その丸棒均し具５０が、枠状部１２の二箇所で受けられるようにすればよい。
【００２１】
また、本発明に係る射的競技の的盤によれば、軟粘土質材２０は、枠状部１２の面よりも正面側へはみ出て盛り上がるように、凹部１１の内容積よりも多い量が配されることで、平面的に均して容易に再生できる形態とすることもできる。なお、この軟粘土質材２０のはみ出す量の適量は、枠状部１２の二辺又は二箇所で受けられていても丸棒均し具５０が圧接できるように、例えば厚さにして０．５ｍｍ程度の僅かでよく、平面的に均すことができるために出っ張っている状態であって、且つ余分過ぎて溢れることのない量であればよい。
【００２２】
これによっても、軟粘土質材２０のはみ出す量は僅かであるため、本形態例の丸棒均し具５０は枠状部１２の二辺又は二箇所で好適に受けられることになり、射的競技の的盤の正面平面に対して平行性を保って必要以上に傾かない状態で転動でき、軟粘土質材２０の正面平面に適切に接触できることから、その軟粘土質材２０の正面平面を適切に均して容易に再生できる。
【００２３】
また、本形態例では、図１に示すように、基盤部１０が、正面側の枠状部１２と、背面側の平板状の平板ベース部１３との二層が積層された形態に設けることができる。なお、積層の方法は、例えば、接着や溶着によることができる。これによれば、基盤部１０を、容易且つ適切に製作できることが可能であり、製造コストを低減できる。
【００２４】
また、図１〜３に示した本形態例の射的競技の的盤は、吹き矢の標的の具体例であり、軟粘土質材２０の厚さは、吹き矢の場合は突き刺さる衝撃力が比較的小さいため、例えば、１０ｍｍ程度に設定することができる。なお、この軟粘土質材２０の厚さは、矢や弾の種類によって、適宜に設定すれば良く、本形態例の射的競技の的盤は、吹き矢以外の標的としても、好適に応用できるものである。
【００２５】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２６】
１０  基盤部
１１  凹部
１２  枠状部
１３  平板ベース部
２０  軟粘土質材
３０  的シート
５０  丸棒均し具
【図１】
2019039638.tif 000003
【図２】
2019039638.tif 000004
【図３】
2019039638.tif 000005